(57)【要約】【課題】  屈折率の異なる境界面での光ビームの屈折は、スネルの法則を満たす屈折角で方向が曲げられるが、従来知られている通常の光学材料では可視光から近赤外光の波長範囲で屈折率の範囲はせいぜい１乃至４程度である。このためこれらの波長範囲における光ビームの伝播方向の変化範囲に制限があった。【解決手段】  本発明では、光ビームを伝播させる媒体に人工的に屈折率変調構造を与えることで、媒体中の回折波のみが伝播するようにしたバンド構造、媒体中の透過波を全反射条件を満たすようにし、回折波のみが伝播するようにした構造、波数ベクトル面の形状を変えることで所望の回折角が得られるように制御が可能なフォトニックバンド構造、さらにフォトニックバンド構造の異方的にバンドギャップが開く効果でバンド図において傾きが負になっているバンドが一つだけ残る状態になっているバンド構造を持たせているフォトニック結晶とした。【選択図】              図５
2005004225.tif 000002
【特許請求の範囲】
【請求項１】
外部から入射した光ビームを、屈折角が負の屈折角となる方向、またはスネルの法則を満足する屈折角よりも大きな屈折角となる方向に伝搬する光屈折材料であって、
外部から光を入射した場合に、その光によって誘起される０次回折波である透過波がフォトニックバンドギャップ内に存在し、高次の回折波がフォトニックバンドギャップ外に存在し、該高次の回折波のみが伝搬するようにしたフォトニックバンド構造を持つフォトニック結晶からなることを特徴とする光屈折材料。
【請求項２】
外部から入射した光ビームを、屈折角が負の屈折角となる方向、またはスネルの法則を満足する屈折角よりも大きな屈折角となる方向に伝搬する光屈折材料であって、
外部から光を入射した場合に、その光によって誘起される０次回折波である透過波が全反射領域に存在し、高次の回折波が伝搬領域に存在し、該高次の回折波のみが伝搬し出力されるようにしたフォトニックバンド構造を持つフォトニック結晶からなることを特徴とする光屈折材料。
【請求項３】
波数ベクトル面の形状を、内向きに凸な形状から外向きに凸な形状に制御することにより、高次の回折波の回折角を制御することを特徴とする請求項１または２に記載の光屈折材料。
【請求項４】
上記フォトニックバンド構造において異方的なバンドギャップが開く効果で、折り返しにより傾きが負になっているバンドが一つのみ残る状態になっており、先が尖った星型の形をとる波数ベクトル面の形状が、バンドギャップが開くことにより円形に変わっており、光ビームの伝搬方向が前記波数ベクトル面の法線方向であることを特徴とする請求項１または２に記載の光屈折材料。
【請求項５】
波数ベクトル面の形状が円または球形になり、かつ光の伝搬方向に関してはその屈折角が負になっている状態にあることを特徴とする請求項１から４のいずれかに記載の光屈折材料。
【発明の詳細な説明】
【技術分野】
【０００１】
本発明は、光情報処理、光伝送、光学器械等に用いられるレンズ、プリズム、ビームスプリッター、波長分波器、光集積回路等の様々な光デバイス及び光学部品等を構成する基本材料に関するものである。
【背景技術】
【０００２】
レンズ、プリズムに代表されるような光ビームの伝搬方向を制御する素子では、外側（通常は空気）と素子側材料の屈折率の違いに応じてビームの伝搬方向が変化する、いわゆる屈折現象を利用している。この場合、入射角に対する屈折角の大きさは、境界面の両側の材料の屈折率の比によって決まる（スネルの法則）。現実に存在する物質の屈折率は可視光、近赤外光の波長領域では１から４程度の範囲に限定されており、そのために屈折率の異なる境界面での屈折現象におけるビーム伝搬方向の変化も制限を受けている（金属等のように著しく光の吸収が大きい物質では屈折率は大きくなり得るが、その場合には吸収が大きいために光は実効的に材料の中を伝搬することができないので、ここでの状況では使用することができない。光吸収が小さい範囲で考えると物質の屈折率は上記の範囲に限定されている）。この制限のために、屈折現象は図１に示されているように、互いに屈折率の異なる媒質１および媒質２の境界で入射光の屈折現象を生じ、例えば、媒質２の屈折率（通常のガラスでは１.５程度）が媒質１の屈折率（空気では１）よりも大きい場合には屈折角は入射角よりも小さくなる。すなわち屈折角は入射角と同じ符号となる。また、プリズムでは、物質の屈折率の波長依存性を利用してビームの伝搬方向を波長によって変化させて分光しているが、一般に物質固有の屈折率の波長依存性は小さく、そのために波長による伝搬方向の変化も小さい。
【発明の開示】
【発明が解決しようとする課題】
【０００３】
上述のようにレンズ、プリズムなどのような光ビームの伝搬方向を制御する素子では、現実に存在する物質固有の屈折率の大きさ及び屈折率の波長依存性の大きさによる制限を受けている。本発明の目的は、この物質固有の性質に制限されることなくビームの伝搬方向を変化させ得る人工的な材料構成を与えることにあり、特に従来物質では実現不可能であった屈折角が負になるような屈折材料の実現も可能にすることにある。
【課題を解決するための手段】
【０００４】
上記目的を達成するために、本発明においては以下の各手段を用いたものである。すなわち、
請求項１においては、外部から入射した光ビームを、屈折角が負の屈折角となる方向、またはスネルの法則を満足する屈折角よりも大きな屈折角となる方向に伝搬する光屈折材料であって、外部から光を入射した場合に、その光によって誘起される０次回折波である透過波がフォトニックバンドギャップ内、すなわちエバネッセントモード、に存在し、高次の回折波がフォトニックバンドギャップ外、すなわち伝搬モード、に存在し、この結果、該高次の回折波のみが伝搬するようにしたフォトニックバンド構造を持つフォトニック結晶からなる光屈折材料とした。
【０００５】
請求項２においては、外部から入射した光ビームを、屈折角が負の屈折角となる方向、またはスネルの法則を満足する屈折角よりも大きな屈折角となる方向に伝搬する光屈折材料であって、外部から光を入射した場合に、その光によって誘起される０次回折波である透過波が全反射領域に存在し、高次の回折波が伝搬領域に存在し、該高次の回折波のみが伝搬し出力されるようにしたフォトニックバンド構造を持つフォトニック結晶からなる光屈折材料とした。
【０００６】
請求項３においては、波数ベクトル面の形状を、内向きに凸な形状から外向きに凸な形状に制御することにより、高次の回折波の回折角を制御する請求項１または２に記載の光屈折材料とした。
【０００７】
請求項４においては、フォトニックバンド構造が異方的にバンドギャップが開く効果で、折り返しによりバンド図における規格化周波数と波数ベクトルとの関係を示す曲線の傾きが負になっているバンドが一つのみ残る状態になっている構造を有しており、高次のバンドで先の尖った星型の形状を有する波数ベクトル面が、バンドギャップが開くことによりこの星形の形状が円形に変化するが、この際、光ビームの伝搬方向は波数ベクトル面の法線方向であるので光ビームの伝搬方向を大きく変化させることが出来るようになることを利用する請求項１又は２記載の光屈折材料とした。
【０００８】
さらに、請求項５においては、バンドギャップが開いて波数ベクトル面の形状が円形または球形になっている状態で、かつ光の伝搬方向に関してはその屈折角が負になっている状態にある請求項１から４のいずれかに記載の光屈折材料とした。
【発明の効果】
【０００９】
本発明により、従来物質では実現不可能であった負の屈折角あるいはスネルの法則を満足する屈折角よりも大きな屈折角になるような光学材料を実現することが可能となる。
【発明を実施するための最良の形態】
【００１０】
上記のように、本発明では、２次元または３次元の人工的屈折率変調構造を用いて物質固有の屈折率に制限されない屈折を実現することを目的としている。このような屈折率変調構造は、一般にフォトニック結晶（photonic crystal）と呼ばれ、このような周期構造を有する結晶中での光は、通常の結晶中の電子と同じように一種のバンド構造を形成することが知られている。以下この種の結晶における屈折現象についての理論的考察を最初に行なう。
【００１１】
図２に示すような例えば屈折率３.６の媒質に空気の円筒状の穴を開けた２次元三角格子フォトニック結晶（円筒部とそのまわりの媒質の体積比は１：１）のＴＥ波（磁界ベクトルがｚ方向にあるモード）の分散関係、すなわち波数ベクトルと規格化周波数の関係を図３に示す。以下では穴の周期ａで規格化した規格化周波数ωa／２πcを周波数として用いる。ここでｃは光速である。通常の物質での振動数と波数ベクトルの分散関係は単純な比例関係になるが、このようにフォトニック結晶における分散関係は通常の物質とは大きく異なる。物質中での光ビームの伝搬は、この分散関係から決定されることから、フォトニック結晶中でのビーム伝搬は通常物質とは大きく異なることが予想される。ここで、このようなフォトニック結晶を構成する材料としては、光学的損失が少なく、屈折率差が大きく採れる材料が望ましく、例えば、高屈折率側の材料としては、Si、GaAs等の半導体材料（屈折率が３.４乃至３.６程度）、低屈折率側の材料としては単なる空隙（すなわち空気、屈折率が１）またはSiO2（屈折率が１.４６）等が用いられる。ここで一般的にフォトニック結晶中での光ビームの伝搬がどのように決定されるかを図によりまず説明する。
【００１２】
フォトニック結晶中での光ビーム伝搬は、複屈折性の誘電体中の光ビーム伝搬と同じように扱うことができる。そこではじめに複屈折性を有する誘電体の場合の光ビーム伝搬を図４に示す。図４は入射側（空気）と出射側（複屈折性媒質）における振動数一定の波数ベクトル面（等周波数面）をプロットしたものである。通常の物質では、波数ベクトル面は一つの円となるが、複屈折性の物質では二つの楕円となる。
【００１３】
ここで、空気側から光ビームを、ある入射角を持たせて傾けて入射した場合を考える。境界面はｘ＝０であり、入射面はｙｚ面である。スネルの法則により境界面での波数ベクトルｋの接線成分は保存されるため、複屈折媒質側で誘起される光ビームの波数ベクトルｋは、図４に示した垂線、すなわちスネル線、と二つの楕円との交点と円の中心とを結ぶベクトルとして与えられる。一般に複屈折性媒質では交点は４点存在する。通常の物質では波数ベクトルｋの方向と光ビームの伝搬方向は一致するが、このように波数ベクトル面が非円であるような場合には両者は一般に異なる。光ビームの伝搬は群速度ベクトルｖδの方向であるが、群速度ベクトルは
【００１４】
【数１】
2005004225.tif 000003
【００１５】
で与えられ、この方向は波数ベクトル面の法線方向となる。従って、図４の複屈折材料側（射出側）となる領域では４点の波数ベクトルに対応する光ビームの伝搬方向は図の矢印の方向となる。この中で二つは伝搬方向が逆向きであり物理的に意味の無い解に相当するため、最終的に複屈折物質内に誘起される光ビームはいわゆる常光線と異常光線の二本のみとなる。
【００１６】
フォトニック結晶の場合の波数ベクトル面は、その材料のバンド構造から計算することができるが、バンドの折り返しのために、図５のように複雑な形になる。図５ではバンドの折り返しの効果を見るために、バンドギャップが無限に小さい空格子フォトニック結晶の場合についてプロットした。この場合の光ビームの伝搬は複屈折物質の時と同じように入射ビームの波数ベクトルｋの接線成分から垂線スネル線を引き、第１ブリルアンゾーン内の波数ベクトル面との交点を求めると、フォトニック結晶の場合にも一般に複数の点で交点が生じる。この場合もビームの伝搬方向は（数１）で示したｖδで与えられ、波数ベクトルｋの法線方向が伝搬方向となる。物理的に意味の無い解を除くと、この場合、図５の実線の矢印ＡおよびＢで示すように二本のビームが誘起されることがわかる。
【００１７】
このようにフォトニック結晶ではバンドの折り返しに伴う複屈折が生じる。このフォトニック結晶における光ビーム伝搬と複屈折性物質における光ビーム伝搬とは以下のような点で本質的に異なる。
【００１８】
１）複屈折においては二本に別れるビームは、それぞれ常光線、異常光線と呼ばれるが、各々が独立な偏光面を持つため、入射光のビームを特定な偏光に選ぶことにより、どちらかの一本だけを選択することができる。一方フォトニック結晶の場合には、図５から知れるように偏光等によって複数に分解したビームの一本だけを選択することはできない。
【００１９】
２）複屈折におけるビームの伝搬方向は常光線、異常光線で異なるが、それぞれは通常物質における屈折角と大きくは異ならない。一方フォトニック結晶におけるビームの伝搬方向は、図５において見られるように複数本のビームの内の一部については、従来の物質の屈折角とは大きく異なる角度をとる。
【００２０】
３）複屈折の場合には光ビームの分解は二本までであるが、フォトニック結晶の場合にはビームはさらに大きな数に分解することもある。
【００２１】
このようにフォトニック結晶におけるビーム伝搬は、従来の物質におけるビーム伝播に比べると大きく異なる性質を持つことがわかる。この違いは、結局、光ビームの入射に対して、フォトニック結晶が一種の回折格子として働いていることに因る。図６に透過型回折格子において光ビームが分解される様子を図示する。回折格子の場合には入射した光ビームは透過光と複数の回折光に分解される。フォトニック結晶の場合にも、回折格子と同じように複数に分解された光ビームを透過光（０次光）と回折光に分類することができる。透過光は図５において原点を中心とする円弧と垂線、すなわちスネル線、が交点を結ぶ点に相当する。図５からわかるように透過光の伝搬方向は通常物質における屈折光の伝搬方向と大きく異ならない。一般に透過型回折格子においては必ず透過光が最大の強度を持ち、他の回折光は高次になればなるほど強度が小さくなるが、フォトニック結晶の場合にも同様に一般には透過光が最大の強度を持つ。これは外部から平面波として入射した光ビームが、フォトニック結晶内のブロッホ波を誘起する場合に振幅の接続条件を書くと下記の（数２）および（数３）明らかになる。
【００２２】
【数２】
2005004225.tif 000004
【００２３】
【数３】
2005004225.tif 000005
【００２４】
波数ベクトルｋには拡張されたスネルの法則を適用する。上の式でΨは電磁界ベクトルの成分を意味し、Ａ0は入射波の振幅、ｋ0は入射波の波数ベクトル、Ｇはフォトニック結晶の逆格子ベクトル、β、α、ＣG は、それぞれ逆格子ベクトルで反射波、屈折波をフーリエ展開した時の展開係数である。Ψはフォトニック結晶中のブロッホ波である。これを各フーリエ成分についての接続条件を示すと（数４）の関係となる。
【００２５】
【数４】
2005004225.tif 000006
【００２６】
上の（数４）式の内容を定性的に述べると、入射波のパワーは、まずＧ＝０のブロッホ波（透過波）にトランスファーされ、しかる後に他のＧ≠０のブロッホ波（回折波）に分配される、ということを意味している。即ち、常にＧ＝０の透過波に主要なパワーが引き渡される。これは透過型回折格子の特性において常に０次回折光が最大パワーになることと同値である。
【００２７】
（数４）式で明らかなように、外から入射した平面波の振幅はＧ＝０のブロッホ波に接続され、このＧ＝０のブロッホ波から他のＧ≠０のブロッホ波にパワーが移されることがわかる。即ち、Ｇ＝０のブロッホ波が誘起されない場合には他のＧ≠０のブロッホ波も誘起されない。
【００２８】
以上からわかるように、フォトニック結晶の場合のビームの伝搬は回折格子におけるビームの分解と似たような現象が起こる。そしてこれを屈折として見た場合には、回折光の中には通常の物質における屈折と大きく異なるものも現れるが、主要なエネルギーを伝搬する透過光は通常の物質における屈折と大差ない。
【００２９】
以上が通常のフォトニック結晶における屈折現象の理論的考察である。従って新しいフォトニック結晶を光屈折材料として用いる場合には、主要なエネルギーを伝搬する光ビームの屈折角が通常の物質における屈折角と異なるような状況を実現しなければならないことが知れる。
【００３０】
本発明では、フォトニック結晶の構造に特定の条件を課すことにより、透過光を誘起することなく一本の回折波のみを誘起することを可能とするものである。また別の条件により透過光そのものの屈折角が通常の物質における屈折角と大きく異なるような状況を実現するものでもある。
【００３１】
１）（数４）式の接続条件において、通常の場合には全てのフーリエ成分は伝搬解であると考えたが、Ｇ＝０の透過光成分が減衰解、即ちエバネッセント解になるように選ぶことにより、伝搬解として回折光のみが一本だけ残るようにすることができる。この場合、通常のフォトニック結晶や回折格子のようにビームの分解が起こらず、出射側の媒質（即ちフォトニック結晶）内では、光ビームは一本だけが誘起されるので、見かけ上は通常物質の屈折現象と同じ現象として扱うことができる。しかも、前述のように誘起される回折による見掛け上の屈折角は、通常の物質の屈折角とは大きく異なる値をとることができ、負の屈折角や空気から入射した場合に屈折角の方が入射角より浅くなる等の現象が実現できる。Ｇ＝０の成分をエバネッセントにするためには、Ｇ＝０の成分がフォトニックバンドギャップ内に入るようにするか、または全反射条件を満たすようにすれば良い。具体的な配置については後述の実施例１および実施例２で説明する。
【００３２】
２）一般にバンドギャップが開くと波数ベクトル面の形状が円形に近づくことが、通常の結晶の電子状態に関しては知られている。同じ現象がフォトニック結晶でも起こり、バンドギャップが大きく開くと、その周辺の周波数領域で波数ベクトル面の形状が円形に近づく。高次のバンドでは、バンドの折り返し効果により波数ベクトル面の形状は先の尖った星形の形をとるが、この星形の形状がバンドギャップが開くことにより円形に変わっていくことになる。光ビームの伝搬方向は波数ベクトル面の法線方向であるので、波数ベクトル面の形状が星形から円形になると光ビームの伝搬方向は大きく変化する。この効果により、屈折角を負にすることも可能である。なお、フォトニックバンド構造自体の制御には周期構造の単位構造および周期を変化させるか、あるいは周期構造を構成する材料そのものを変えることにより屈折率を変える方法等が知られている。
【００３３】
上記の１）と２）の作用により、フォトニック結晶内に存在する光ビームが一本だけであり、かつ、その光ビームの屈折角を大きく制御することが可能である状況を実現できる。この場合のフォトニック結晶へ光ビームを入射した場合の屈折の様子を模式的に図７に示す。この図のようにフォトニック結晶では実線で示すような負の屈折角を示す場合や、矢印破線で示すように屈折率１の空気から入射した場合に屈折角が入射角よりも大きくなる等の、通常の光学系ではあり得ない屈折角が可能になる。また、この場合の屈折角は結晶構造によって制御可能であり、材料に制限されずに構造パラメーターによって設計することができる。
【００３４】
具体的な配置、条件については実施例で説明するが、上記１）および２）による作用は、多くの場合において両者が同時に働くことにより、大きな制御が可能になる。１）の効果は主にビームを一本だけにすることに用いられ、２）の効果は導波の方向を制御するのに用いられる。
【実施例１】
【００３５】
以下、図面を用いて本発明のフォトニック結晶を用いた光屈折材料の構成例について説明する。図２及び図３に示した２次元三角格子フォトニック結晶の場合を例にとり、透過波をエバネッセント波にする構成例について説明する。
【００３６】
２次元フォトニック結晶の作製方法としては多くの方法が提案されているが、例えば半導体基板上に電子ビームリソグラフィを用いて三角格子のレジストパターンを形成し、これを用いて垂直性のよいドライエッチングにより半導体に円柱上の深い穴を開けることにより図２のような２次元三角格子フォトニック結晶を作成することが可能である。フォトニック結晶の特性の波長依存性は全て（穴の周期／波長）でスケールされるので、使用波長に応じて穴の周期を変えることにより所望の波長で動作するフォトニック結晶を作成することが出来る。例えば１.５μｍを使用波長とすると、ω＝０.４で動作するフォトニック結晶を作成する場合には穴の周期は０.６μｍにすれば良い。このフォトニック結晶についてω＝０.３５の場合の波数ベクトル面を図８に示す。図９に同じ平均屈折率を持つ空格子結晶の場合を示す。これはバンドの折り返しの効果のみが存在し、バンドギャップが開く効果が入っていない場合に相当する。図９の場合について見てみると、逆方向に進行する非物理的な解を捨てると入射平面波によって、二つのブロッホ波（Ａ、Ｂ）が誘起されることがわかる。Ａ波は透過波であり、Ｂ波は回折波である。図８の場合では誘起される波は一つしかない。この波は空格子の場合のＢ波に相当する波である。図８からわかるようにこの場合、透過波成分が垂線と交点を持つはずの所にバンドギャップが生じている。即ち、この場合はＧ＝０の透過波はエバネッセント波になっている。従って、この場合、光ビームの入射によって生じる屈折波は図８に示された一本だけであり、その屈折角は負になっている。図８では原理を示すためにギャップが大きく開いていない場合について示したが、同じフォトニック結晶において他の周波数領域で、もっと広くギャップが開き、全角度範囲でビームは回折波だけであり、かつ屈折角が負になる領域が存在する。図１０はω＝０.４５の場合の波数ベクトル面を示す。この場合の入射角と屈折角の関係は図１１に示すようになり、屈折角は全範囲で負になっている。
【００３７】
このような状況は、一般に図３のバンド図においてハッチした領域において実現する。図８の例は一番下のハッチング領域にあたり、図１０のように広い範囲で負の屈折を示す状態は２番目のハッチング領域に対応する。フォトニック結晶ではバンドの折り返しによって傾きが負になっているバンド（上に向かって山型になっているバンド）が存在するが、このようなバンドは通常同じ周波数に二つ以上存在する。ところがその内の一つを除いて他のバンドに対してバンドギャップが開き（これは即ち異方的にバンドギャップが開くことを意味する）、結果として上に向かって山型になるバンドが一つだけ存在する状態が即ち、図７のような負の屈折が実現するための必要条件である。このような条件は、２次元三角格子だけでなく一般のフォトニック結晶においても広く成立する。
【実施例２】
【００３８】
次に図１２に示す屈折率３.６の媒質に空気の円筒状の穴を開けた２次元正方格子フォトニック結晶（円筒部とそのまわりの媒質の体積比は１：１）の場合を例にとり、バンドギャップが開く効果により波数ベクトル面の形状が変形する構成例について説明する。このフォトニック結晶についてω＝０.３０の場合のＴＥ波についての波数ベクトル面を図１３に示す。図１４に同じ平均屈折率を持つ空格子結晶の場合を示す。これはバンドの折り返しの効果のみが存在し、バンドギャップが開く効果が入っていない場合に相当する。図１４の場合について見てみると、入射平面波によって励起される波は２本あり、それぞれが透過波と回折波に相当する。次に図１３を見てみると、この場合誘起される波は一本だけである。ω＝０.２６の場合には波数ベクトル面の形状は図１４の場合と似たような形状になっており、ビームの伝搬方向は図１４の場合と同じであり屈折角は正であるが、バンドギャップに近い周波数ω＝０.３０〜０.３２では、波数ベクトル面の形状が円に近づき、屈折角は負になっている。
【００３９】
以上の例では２次元三角格子及び正方格子フォトニック結晶を例に取り説明を行ったが、請求項に示す条件を満たす限り他の周期構造においても同様の効果が期待されることは自明である。また３次元フォトニック結晶においても同様の効果が期待できる。
【図面の簡単な説明】
【００４０】
【図１】通常の物質における屈折現象を示す模式図。
【図２】２次元三角格子のフォトニック結晶構造模式図。
【図３】図２で示した２次元三角格子フォトニック結晶のＴＥ波のフォトニックバンド構造図。
【図４】複屈折性媒質へ光ビームを入射した場合の屈折角を求める波数ベクトル図。
【図５】バンドギャップが開いていない空格子２次元三角格子フォトニック結晶へ光ビームを入射した場合の屈折角を求める等周波数面図。
【図６】透過型回折格子におけるビーム伝搬の様子を示す模式図。
【図７】本発明によるフォトニック結晶において空気から光ビームを入射した場合の屈折現象を示す模式図。
【図８】図２、図３と同じ２次元三角格子フォトニック結晶においてω＝０.３５の光を入射した場合の屈折角を求める波数ベクトル面図。
【図９】図８と同じ条件で同じ周波数の光を平均屈折率が同じ空格子２次元三角格子結晶に入射した場合の屈折角を求める波数ベクトル面図。
【図１０】図２、図３と同じ２次元三角格子フォトニック結晶においてω＝０.４５の光を入射した場合の屈折角を求める波数ベクトル面図。
【図１１】図１０の条件において入射角と反射角の関係を示す図。
【図１２】２次元正方格子フォトニック結晶の構造模式図。
【図１３】図１２で示した２次元正方格子フォトニック結晶へω＝０.３０の光（ＴＥ波）を入射した場合の屈折角を求める波数ベクトル面図である。
【図１４】図１３と同じ条件で同じ周波数の光を平均屈折率が同じ空格子２次元正方格子フォトニック結晶に入射した場合の屈折角を求める波数ベクトル面図。
【符号の説明】
【００４１】
１ 低屈折率の媒質
２ 高屈折率の媒質
【図１】
2005004225.tif 000007
【図２】
2005004225.tif 000008
【図３】
2005004225.tif 000009
【図４】
2005004225.tif 000010
【図５】
2005004225.tif 000011
【図６】
2005004225.tif 000012
【図７】
2005004225.tif 000013
【図８】
2005004225.tif 000014
【図９】
2005004225.tif 000015
【図１０】
2005004225.tif 000016
【図１１】
2005004225.tif 000017
【図１２】
2005004225.tif 000018
【図１３】
2005004225.tif 000019
【図１４】
2005004225.tif 000020